(57)【要約】【課題】細胞が発信する音波の周波数を容易にしかも正確に測定する。【解決手段】周波数測定装置１において、容器２０に微生物のような細胞を収容し、電圧印加装置３により一対の電極２５ａ、２５ｂ間に周波数の異なる交流電圧を順次印加する。容器２０に収容された細胞は、特定の周波数の交流電圧が印加されたときに圧電効果を示し、音波を発信する。この音波は、ロッド２１を通じて板状体２２に伝達され、音波センサー４に感知される。音波センサー４に感知された音波は、周波数判定装置５において周波数が測定される。ここで測定した音波の周波数と、当該周波数を測定したときにおいて容器２０内の細胞に印加している交流電圧の周波数とが一致している場合、細胞は、当該周波数の音波を発信しているものと判断することができる。【選択図】　　　　図１
2004000046.tif 000002
【特許請求の範囲】
【請求項１】
細胞を容器内に配置する工程と、
前記容器内に配置された前記細胞に、周波数の異なる交流電圧を順次印加する電圧印加工程と、
前記電圧印加工程時において、前記容器に伝わる音波の周波数を測定する周波数測定工程と、
前記周波数測定工程において測定した前記音波の周波数と、当該周波数を測定したときにおいて前記細胞に印加している前記交流電圧の周波数とが一致しているか否かを確認する確認工程と、
を含む細胞が発信する音波の周波数測定方法。
【請求項２】
前記確認工程は、
前記周波数測定工程において測定した前記音波の周波数と同じ周波数の交流電圧を前記容器内に配置された前記細胞に印加する確認電圧印加工程と、
前記確認電圧印加工程時において、前記容器に伝わる音波の周波数を測定する周波数確認測定工程と、
前記周波数確認測定工程において測定した前記音波の周波数と、前記確認電圧印加工程において前記細胞に印加した前記交流電圧の周波数とが一致しているか否かを確認する工程と、
を含む、請求項１に記載の細胞が発信する音波の周波数測定方法。
【請求項３】
前記容器を電磁シールドする、請求項１または２に記載の細胞が発信する音波の周波数測定方法。
【請求項４】
前記細胞が微生物である、請求項１、２または３に記載の細胞が発信する音波の周波数測定方法。
【請求項５】
前記細胞が生体組織の一部である、請求項１、２または３に記載の細胞が発信する音波の周波数測定方法。
【請求項６】
細胞を収容するための容器、前記容器を挟んで配置された一対の電極、前記容器から延びるロッドおよび前記ロッドの先端に設けられた板状体を有する細胞収容セルと、
前記一対の電極間に周波数の異なる交流電圧を順次印加するための電圧印加手段と、
前記板状体に装着された音波センサーと、
前記音波センサーが検知した音波の周波数を判定するための周波数判定手段と、
を備えた細胞が発信する音波の周波数測定装置。
【請求項７】
前記音波センサーが圧電振動子である、請求項６に記載の細胞が発信する音波の周波数測定装置。
【請求項８】
細胞を収容するための容器と、
前記容器を挟んで配置された一対の電極と、
前記容器から延びるロッドと、
前記ロッドの先端に設けられた板状体と、
を備えた細胞が発信する音波の周波数測定用セル。
【発明の詳細な説明】
【０００１】
【発明の属する技術分野】
本発明は、音波の周波数測定方法、特に、細胞が発信する音波の周波数測定方法に関する。
【０００２】
【従来の技術とその課題】
バクテリアなどの単細胞の微生物は、培養過程において密度が一定以上に高まると、顕著に増殖することが知られているが、これは、微生物同士が互いの活性を高めるための音波を発信し合っていることによるものと考えられている。したがって、微生物が発信している周波数の音波を微生物に対して人為的に与えると、当該微生物は活性等が顕著に高まるものと予想される。
【０００３】
ところで、上述の手法により微生物の活性等を高めるためには、先ず、微生物が発信する音波の周波数を把握する必要がある。そこで、これを実現するための方法として、培養中の微生物の近傍に微弱な音波を検知可能なマイクロホンを配置し、そのマイクロホンにより微生物が発信する音波を感知してその周波数を測定する方法が報告されている（例えば、応用遺伝分子生物学会誌、４４巻、４９−５５頁（１９９８）（Ｊ．　Ｇｅｎ．　Ａｐｐｌ．　Ｍｉｃｒｏｂｉｏｌ．，４４，４９−５５（１９９８））参照）。
【０００４】
しかしながら、微生物は、音波を常時発信しているわけではないため、このような測定方法においては微生物が自発的に音波を発信する偶然の機会を待つ必要がある。また、微生物が発信する音波は極めて微弱であるため、マイクロホンの性能の如何により、その音波を感知すること自体が困難な場合もある。
【０００５】
本発明の目的は、細胞が発信する音波の周波数を容易にしかも正確に測定することにある。
【０００６】
【課題を解決するための手段】
本発明に係る、細胞が発信する音波の周波数測定方法は、細胞を容器内に配置する工程と、容器内に配置された細胞に、周波数の異なる交流電圧を順次印加する電圧印加工程と、電圧印加工程時において、容器に伝わる音波の周波数を測定する周波数測定工程と、周波数測定工程において測定した音波の周波数と、当該周波数を測定したときにおいて細胞に印加している交流電圧の周波数とが一致しているか否かを確認する確認工程とを含んでいる。
【０００７】
細胞は、音波を発信する事実があることから、それ自体が圧電性を有するものと予想することができる。したがって、容器内に配置された細胞に対して周波数の異なる交流電圧を順次印加すると、細胞は、特定の周波数の交流電圧が印加されたときに圧電効果を示し、印加された交流電圧の周波数と同じ周波数の音波を発信するものと考えられる。このため、この周波数測定方法では、電圧印加工程において、細胞に対して周波数の異なる交流電圧を順次印加すると、その細胞が発信する固有の周波数の音波を細胞から積極的に発信させることができる。この際、細胞から発信された音波は容器に伝達される。そこで、容器に伝わる音波の周波数を測定し、その周波数と、それを測定したときに細胞に印加している交流電圧の周波数とが一致していることを確認することができれば、当該周波数は、細胞が発信する音波の周波数と判断することができる。
【０００８】
なお、この周波数測定方法において、確認工程は、例えば、周波数測定工程において測定した音波の周波数と同じ周波数の交流電圧を容器内に配置された細胞に印加する確認電圧印加工程と、確認電圧印加工程時において、容器に伝わる音波の周波数を測定する周波数確認測定工程と、周波数確認測定工程において測定した音波の周波数と、確認電圧印加工程において細胞に印加した交流電圧の周波数とが一致しているか否かを確認する工程とを含んでいる。また、この周波数測定方法では、通常、容器を電磁シールドするのが好ましい。なお、この周波数測定方法を適用可能な細胞は、例えば、微生物、若しくは、生体組織の一部である。
【０００９】
本発明に係る、細胞が発信する音波の周波数測定装置は、細胞を収容するための容器、容器を挟んで配置された一対の電極、容器から延びるロッドおよびロッドの先端に設けられた板状体を有する細胞収容セルと、一対の電極間に周波数の異なる交流電圧を順次印加するための電圧印加手段と、板状体に装着された音波センサーと、音波センサーが検知した音波の周波数を判定するための周波数判定手段とを備えている。ここで、音波センサーは、例えば圧電振動子である。
【００１０】
この周波数測定装置において、容器に細胞を収容し、電圧印加手段により一対の電極間に周波数の異なる交流電圧を順次印加すると、細胞は、特定の周波数の交流電圧が印加されたときに、その周波数と同じ周波数の音波を発信する。細胞から発信された音波は、容器からロッドを通じて板状体に伝達される。板状体に伝達された音波は、音波センサーにより検知され、周波数判定手段により周波数が判定される。
【００１１】
本発明に係る、細胞が発信する音波の周波数測定用セルは、細胞を収容するための容器と、容器を挟んで配置された一対の電極と、容器から延びるロッドと、ロッドの先端に設けられた板状体とを備えている。
【００１２】
この周波数測定用セルは、容器に細胞を収容した状態で、一対の電極間に交流電圧を印加することができる。そして、交流電圧の印加により細胞から発信された音波は、容器からロッドを通じ、板状体に伝達される。
【００１３】
【発明の実施の形態】
図１を参照して、本発明の実施の一形態に係る周波数測定装置を説明する。図において、周波数測定装置１は、細胞収容セル２、電圧印加装置３（電圧印加手段の一例）、音波センサー４および周波数判定装置５（周波数判定手段の一例）を主に備えている。
【００１４】
細胞収容セル２は、容器２０、ロッド２１および板状体２２を備えている。容器２０は、図２に示すように、細胞を収容するための開口部２３ａを有する円形の容器本体２３と、開口部２３ａを閉鎖するための円形の蓋体２４とを備えている。容器本体２３の底面の外側には電極２５ａが配置されており、また、蓋体２４の上面の外側には電極２５ｂが配置されている。これらの電極２５ａ、２５ｂは、容器本体２３に対して蓋体２４を装着した状態において、容器２０を挟んで対向する一対の電極を形成している。ロッド２１は、容器本体２３に対して固定された棒状の部材であり、容器本体２３から横方向に水平に延びている。板状体２２は、円板状の部材であり、ロッド２１の先端に水平に固定されている。
【００１５】
なお、上述の容器２０、ロッド２１および板状体２２は、いずれも音波伝達性と電気絶縁性とを有する材料、例えばガラス、石英若しくはセラミックを用いて形成されており、また、容器本体２３と板状体２２とはロッド２１に対して溶接されている。
【００１６】
電圧印加装置３は、信号発生器３０、増幅器３１およびオシロスコープ３２を主に備えている。信号発生器３０は、周波数の異なる交流信号を順次連続的に発生するものである。より具体的には、例えば、１ｋＨｚ〜１００ＭＨｚの範囲で周波数を連続的に変化させながら、交流信号を発生するものである。なお、信号発生器３０から発生する交流信号は、波形が特に限定されるものではなく、例えば、正弦波、矩形波、三角波若しくはパルス波などのいずれの形態の交流信号であってもよい。増幅器３１は、信号発生器３０からの交流信号を増幅するためのものであり、増幅した交流信号を出力するための一対の出力ライン３１ａ、３１ｂを備えている。ここで、出力ライン３１ａは電極２５ａに接続されており、出力ライン３１ｂは電極２５ｂに接続されている。オシロスコープ３２は、増幅器３１に接続されており、増幅器３１から出力ライン３１ａ、３１ｂに出力される交流信号の周波数および波形を確認するためのものである。
【００１７】
音波センサー４は、例えば圧電振動子からなるものであり、細胞収容セル２を伝達する音波を感知するためのものである。この音波センサー４は、流動パラフィンなどの粘性液体を用いて、細胞収容セル２の板状体２２の下面に密着して配置されている。
【００１８】
周波数判定装置５は、音波センサー４が感知した音波の周波数を判定するためのものであり、増幅器５０、オシロスコープ５１およびスペクトラムアナライザー５２を主に備えている。増幅器５０は、音波センサー４が感知した音波（交流信号）を増幅するためのものである。また、オシロスコープ５１は、増幅器５０により増幅された交流信号の周波数および波形を確認するためのものである。さらに、スペクトラムアナライザー５２は、増幅器５０により増幅された交流信号の周波数および波形をより詳細に確認するためのものである。
【００１９】
次に、上述の周波数測定装置１を用いて、細胞が発信する音波の周波数を測定する方法を説明する。ここでは、細胞の一例である、単細胞の微生物が発信する音波の周波数を測定する場合について説明する。
先ず、容器２０内に微生物を配置していない状態に細胞収容セル２を設定し、この状態で一対の電極２５ａ、２５ｂ間に電圧印加装置３を用いて交流電圧を印加する。ここでは、信号発生器３０を作動させ、交流信号を信号発生器３０から増幅器３１に対して出力する。この際、信号発生器３０は、上述の周波数範囲において、低周波数側から高周波数側に向けて周波数を連続的に順次変化させながら交流信号を増幅器３１に対して出力する。増幅器３１は、信号発生器３０からの交流信号を増幅し、出力ライン３１ａ、３１ｂに出力する。これにより、一対の電極２５ａ、２５ｂ間には、増幅器３１からの周波数の異なる交流信号、すなわち周波数の異なる交流電圧が順次印加されることになる。因みに、一対の電極２５ａ、２５ｂ間に印加する電圧は、電極２５ａ、２５ｂ間の距離が１０ｍｍ程度の場合、８０〜１００Ｖ／ｃｍ程度が好ましい。この電圧が大きすぎると、音波センサー４が交流電圧の周波数を直接受信する可能性があり、測定結果の信頼性を損なう可能性がある。逆に、この電圧が小さすぎると、音波センサー４の感度、容器本体２３の容量などのバランス上の問題から、正確な測定が困難になる可能性がある。
【００２０】
上述のような電圧印加工程において、細胞収容セル２は、容器２０内に音波の発生源となる微生物が配置されていないため、音波センサー４に対して実質的に音波を伝達しないことになる。したがって、周波数判定装置５においては、上述の周波数範囲において、図３に示すようなホワイトノイズによる波形のみが観測されることになる（ブランクの測定工程）。
【００２１】
次に、細胞収容セル２において、容器２０の容器本体２３内に開口部２３ａから微生物を収容して配置する。ここで配置する微生物は、種類が特に限定されるものではなく、また、通常は、培養液内において培養されているものを遠心分離したものや、培地上で培養されているものを掻き採ったものであり、湿潤した状態のものである。微生物を配置した後、容器本体２３の開口部２３ａを蓋体２４で閉鎖する。これにより、容器２０内に収容された微生物は、一対の電極２５ａ、２５ｂ間に配置された状態になる。
【００２２】
次に、一対の電極２５ａ、２５ｂ間に、電圧印加装置３を用いて上述の要領で交流電圧を印加する。この結果、容器２０内に配置された微生物には、周波数の異なる交流電圧が順次印加されることになる。
【００２３】
上述のような微生物に対する電圧印加工程において、容器２０内の微生物は、特定の周波数の交流電圧が印加されたときに圧電効果を示し、印加された交流電圧の周波数と同じ周波数の音波を発信する。微生物から発信された音波は、容器２０に伝わり、ロッド２１を通じて板状体２２に伝達される。板状体２２に伝達された音波は、さらに音波センサー４に伝達される。音波センサー４は、その圧電効果により、伝達された音波と同じ周波数の交流信号を出力する。この交流信号は、増幅器５０において増幅された後、オシロスコープ５１およびスペクトラムアナライザー５２に出力される。この結果、周波数判定装置５においては、図４に示すように、ホワイトノイズとは別に、当該交流信号の周波数に対応する位置に特徴的なピークＰが観測され、当該ピークＰの周波数が測定される（周波数測定工程）。
【００２４】
次に、周波数測定工程において測定した音波の周波数と、当該音波の周波数を測定したときにおいて微生物に印加している交流電圧の周波数とが一致しているか否かを確認する（確認工程）。ここでは、周波数判定装置５において観測された上述のピークＰの周波数、すなわち、細胞収容セル２を伝わって音波センサー４に伝達された音波の周波数（以下、測定周波数という場合がある）と、上述のピークＰを観測したときに信号発生器３０が発信している交流信号の周波数（以下、発信周波数という場合がある）とが一致しているか否かを確認する。ここで、測定周波数と発信周波数とが一致していない場合、測定周波数は、微生物が発信した音波のものではなく、外部ノイズのものと判断することができる。一方、測定周波数と発信周波数とが一致していると、測定周波数は、外部ノイズのものではなく、微生物が発信した音波のものと判断することができる。すなわち、測定周波数と発信周波数とが一致している場合において、当該測定周波数は、微生物が発信している音波の周波数を示しているものと判断することができる。
【００２５】
因みに、微生物の種類等により、若しくは周波数により、周波数測定装置５において、印加している交流電圧の周波数の整数倍若しくは整数の逆数倍の倍音等の発生が認められる場合がある。
【００２６】
上述のような確認工程は、通常、電圧印加装置３側のオシロスコープ３２の表示と、周波数判定装置５側のオシロスコープ５１の表示とを対比することにより実施することができるが、より正確を図るために、次のようにして実施するのが好ましい。先ず、細胞収容セル２に微生物を収容した状態を維持し、測定周波数と同じ周波数の交流信号を発信号発生器３０から発信する。これにより、容器２０内の微生物には、測定周波数と同じ周波数の交流電圧が印加されることになる（確認電圧印加工程）。この際、交流信号の周波数は、オシロスコープ３２により確認することができる。一方、周波数判定装置５のスペクトラムアナライザー５２において、測定周波数付近の周波数を徐々に走査し、細胞収容セル２から音波センサー４に伝わる音波の正確な周波数を測定する（周波数確認測定工程）。そして、信号発生器３０から発信している交流信号の周波数と、スペクトラムアナライザー５２において観測された音波の周波数（精密測定周波数）とが一致していれば、当該精密測定周波数を微生物が発信している音波の周波数と判定することができる。
【００２７】
なお、上述の確認工程における周波数の一致は、完全な一致を意味するものではなく、誤差を許容している。
【００２８】
因みに、上述のような周波数測定操作時においては、図１に一点鎖線で示すように、容器２０部分を電磁シールドするのが好ましい。
【００２９】
上述の周波数測定方法においては、微生物、すなわち細胞が有する圧電性に注目し、容器２０内に配置した微生物に対して周波数の異なる交流電圧を順次印加して微生物から積極的に音波を発信させているので、微生物が自発的に音波を発信する偶然の機会を待つ必要がなく、微生物が発信する音波の周波数を必要なときに随時測定することができる。また、この測定方法は、交流電圧の印加により微生物から発信されて容器を伝わる音波の周波数を測定し、その周波数と交流電圧の周波数とが一致しているか否かを確認しているので、正確な測定結果を得ることができる。したがって、この周波数測定方法によれば、従来の測定方法に比べ、微生物が発信する音波の周波数を容易にしかも正確に測定することができる。
【００３０】
なお、上述の実施の形態では、単細胞の微生物が発信する音波の周波数を測定する場合について説明したが、本発明は、微生物以外の細胞、例えば、動物や植物等の生体組織の一部が発信する音波の周波数を測定する場合においても同様に実施することができる。
【００３１】
【実施例】
周波数測定装置の製作
上述の実施の形態に係る、図１に示した周波数測定装置１を製作した。ここで、細胞収容セル２は、容器２０の容器本体２３として内径が２０ｍｍ、深さが８ｍｍのものを用い、また、蓋体２４を装着した状態で容器２０の高さが９ｍｍになるよう設定した。また、ロッド２１は、直径が５ｍｍで長さが２００ｍｍのものを用い、板状体２２には直径が５０ｍｍの円板状のものを用いた。なお、容器２０、ロッド２１および板状体２２の各部材は、いずれも石英を用いて形成し、また、電極２５ａ、２５ｂには銅電極を用いた。
【００３２】
また、電圧印加装置３、音波センサー４および周波数判定装置５においては、次の装置を用いた。
◎信号発生器３０：エヌエフ回路設計ブロック株式会社の商品名“ＮＦ１９４５”
◎増幅器３１：エヌエフ回路設計ブロック株式会社の商品名“ＮＦ４０２５”
◎オシロスコープ３２：ソニーテクトロニクス株式会社の商品名“ＴＤＳ３０３２”
◎音波センサー：エヌエフ回路設計ブロック株式会社の商品名“ＡＥ−９００ＦＬ”
◎増幅器５０：エヌエフ回路設計ブロック株式会社の商品名“ＮＦ５３０５”
◎オシロスコープ５１：ソニーテクトロニクス株式会社の商品名“ＴＤＳ３０３２”
◎スペクトラムアナライザー５２：アンリツ株式会社の商品名“ＭＳ２６８３Ａ”
【００３３】
実施例１
製作した上述の周波数測定装置１において、細胞収容セル２の容器２０内に大腸菌（Ｅｓｃｈｅｒｉｃｈｉａ　ｃｏｌｉ）を収容し、信号発生器３０から１０〜５００ｋＨｚの範囲で周波数を変えながら正弦波交流信号を連続的に発信した。この交流信号を増幅器３１において８０〜１００Ｖに増幅し、上記範囲の周波数の交流電圧を順次大腸菌に印加した。この際、周波数判定装置５側のオシロスコープ５１において、９２ｋＨｚ、２３５ｋＨｚ、４４０ｋＨｚおよび４５０ｋＨｚにホワイトノイズとは区別可能な高強度の特異的な発振ピークが観測された（周波数測定工程）。
【００３４】
次に、信号発生器３０から、特異的ピークが観測された９２ｋＨｚに周波数を固定した交流信号を発信し、周波数判定装置５のスペクトラムアナライザー５２において当該周波数付近を走査した。この結果、図５に示すように、信号発生器３０から発信している交流信号の周波数と一致する９２．２ｋＨｚの音波を音波センサー４が感知していることを確認した（確認工程）。また、容器２０内に大腸菌を配置せずに同様の操作を実施した場合（ブランク確認工程）の結果を図６に示す。図５および図６によると、同じ条件で容器２０に交流電圧を印加していても、容器２０内に大腸菌が配置されていない場合は９２ｋＨｚの音波が観測されていないことがわかる。これより、大腸菌は、９２．２ｋＨｚの音波を発信していることがわかる。なお、各図において、黒の逆三角形で示したピークは、点線で囲われた範囲における最高強度のピークを示しており、その周波数は、図の左上の”Ｍａｒｋｅｒ”の欄に表示されている。図７以下についても同様である。
【００３５】
周波数測定工程において観測された２３５ｋＨｚ、４４０ｋＨｚおよび４５０ｋＨｚの特異的ピークについても同様に操作し、図７〜１２の結果を得た。なお、各図は表１に示す結果を示している。
【００３６】
【表１】
2004000046.tif 000003
【００３７】
図７〜１２によると、大腸菌は、９２．２ｋＨｚの音波の他に、少なくとも２３５．０ｋＨｚ、４４０．０ｋＨｚおよび４４９．９ｋＨｚの音波を発信していることがわかる。
【００３８】
実施例２
枯草菌（Ｂａｃｉｌｌｕｓ　ｓｕｂｔｉｌｉｓ）について実施例１の場合と同様の周波数測定工程を実施したところ、３２０ｋＨｚ、３５０ｋＨｚ、４００ｋＨｚおよび４５０ｋＨｚにホワイトノイズとは区別可能な高強度の特異的なピークが観測された。各特異的ピークの周波数について、実施例１の場合と同様にして確認工程およびブランク確認工程を実施したところ、図１３〜２０に示す結果が得られた。なお、各図は表２に示す結果を示している。
【００３９】
【表２】
2004000046.tif 000004
【００４０】
図１３〜２０によると、枯草菌は、少なくとも３２０．０ｋＨｚ、３５０．０ｋＨｚ、３９９．６ｋＨｚおよび４４９．５ｋＨｚの音波を発信していることがわかる。
【００４１】
参考のため、容器２０、ロッド２１および板状体２２をガラス（パイレックス社の登録商標”パイレックス”）を用いて形成した細胞収容セル２を用意し、この細胞収容セル２を用いて３５０ｋＨｚおよび４００ｋＨｚについて同様の確認工程およびブランク確認工程を実施した。結果を図２１〜２４に示す。なお、各図は表３に示す結果を示している。
【００４２】
【表３】
2004000046.tif 000005
【００４３】
図１５〜１８と図２１〜２４とを対比すると、圧電性を示し得る石英製の細胞収容セル２は、測定結果に影響を与えていないことがわかる。
【００４４】
実施例３
メタン資化菌ＯＢ３ｂ（Ｍｅｔｈｙｌｏｓｉｎｕｓ　Ｔｒｉｃｈｏｓｐｏｒｉｕｍ　ＯＢ３ｂ）について実施例１の場合と同様の周波数測定工程を実施したところ、２３０ｋＨｚ、２３５ｋＨｚ、２４６ｋＨｚおよび２５４ｋＨｚにホワイトノイズとは区別可能な高強度の特異的なピークが観測された。各特異的ピークの周波数について、実施例１の場合と同様にして確認工程およびブランク確認工程を実施したところ、図２５〜３２に示す結果が得られた。なお、各図は表４に示す結果を示している。
【００４５】
【表４】
2004000046.tif 000006
【００４６】
図２５〜３２によると、メタン資化菌ＯＢ３ｂは、少なくとも２３０．２ｋＨｚ、２３４．６ｋＨｚ、２４６．０ｋＨｚおよび２５３．８ｋＨｚの音波を発信していることがわかる。
【００４７】
【発明の効果】
本発明の周波数測定方法は、上述の工程を含んでいるので、細胞が発信する音波の周波数を容易にしかも正確に測定することができる。
また、本発明の周波数測定装置は、上述のような細胞収容セル、電圧印加手段、音波センサーおよび周波数判定手段を備えているため、細胞が発信する音波の周波数を容易にしかも正確に測定することができる。
さらに、本発明の周波数測定用セルは、上述のような容器、一対の電極、ロッドおよび板状体を備えているため、容器内に収容された細胞が発信する音波を板状体に対して正確に伝達することができる。
【図面の簡単な説明】
【図１】本発明の実施の一形態に係る周波数測定装置の概略図。
【図２】前記周波数測定装置において用いられる細胞収容セルの容器部分の縦断面図。
【図３】前記周波数測定装置を用いた周波数測定方法において、細胞収容セルに微生物を収容せずに測定操作を実施した場合に周波数判定装置において観測される信号の概念図。
【図４】前記周波数測定装置を用いた周波数測定方法において、細胞収容セルに微生物を収容して測定操作を実施した場合に周波数判定装置において観測される信号の概念図。
【図５】実施例１において、９２ｋＨｚの特異的ピークについて実施した確認工程の結果を示す図。
【図６】実施例１において、９２ｋＨｚの特異的ピークについて実施したブランク確認工程の結果を示す図。
【図７】実施例１において、２３５ｋＨｚの特異的ピークについて実施した確認工程の結果を示す図。
【図８】実施例１において、２３５ｋＨｚの特異的ピークについて実施したブランク確認工程の結果を示す図。
【図９】実施例１において、４４０ｋＨｚの特異的ピークについて実施した確認工程の結果を示す図。
【図１０】実施例１において、４４０ｋＨｚの特異的ピークについて実施したブランク確認工程の結果を示す図。
【図１１】実施例１において、４５０ｋＨｚの特異的ピークについて実施した確認工程の結果を示す図。
【図１２】実施例１において、４５０ｋＨｚの特異的ピークについて実施したブランク確認工程の結果を示す図。
【図１３】実施例２において、３２０ｋＨｚの特異的ピークについて実施した確認工程の結果を示す図。
【図１４】実施例２において、３２０ｋＨｚの特異的ピークについて実施したブランク確認工程の結果を示す図。
【図１５】実施例２において、３５０ｋＨｚの特異的ピークについて実施した確認工程の結果を示す図。
【図１６】実施例２において、３５０ｋＨｚの特異的ピークについて実施したブランク確認工程の結果を示す図。
【図１７】実施例２において、４００ｋＨｚの特異的ピークについて実施した確認工程の結果を示す図。
【図１８】実施例２において、４００ｋＨｚの特異的ピークについて実施したブランク確認工程の結果を示す図。
【図１９】実施例２において、４５０ｋＨｚの特異的ピークについて実施した確認工程の結果を示す図。
【図２０】実施例２において、４５０ｋＨｚの特異的ピークについて実施したブランク確認工程の結果を示す図。
【図２１】実施例２において、細胞収容セルをガラス製のものに変更して３５０ｋＨｚの特異的ピークについて実施した確認工程の結果を示す図。
【図２２】実施例２において、細胞収容セルをガラス製のものに変更して３５０ｋＨｚの特異的ピークについて実施したブランク確認工程の結果を示す図。
【図２３】実施例２において、細胞収容セルをガラス製のものに変更して４００ｋＨｚの特異的ピークについて実施した確認工程の結果を示す図。
【図２４】実施例２において、細胞収容セルをガラス製のものに変更して４００ｋＨｚの特異的ピークについて実施したブランク確認工程の結果を示す図。
【図２５】実施例３において、２３０ｋＨｚの特異的ピークについて実施した確認工程の結果を示す図。
【図２６】実施例３において、２３０ｋＨｚの特異的ピークについて実施したブランク確認工程の結果を示す図。
【図２７】実施例３において、２３５ｋＨｚの特異的ピークについて実施した確認工程の結果を示す図。
【図２８】実施例３において、２３５ｋＨｚの特異的ピークについて実施したブランク確認工程の結果を示す図。
【図２９】実施例３において、２４６ｋＨｚの特異的ピークについて実施した確認工程の結果を示す図。
【図３０】実施例３において、２４６ｋＨｚの特異的ピークについて実施したブランク確認工程の結果を示す図。
【図３１】実施例３において、２５４ｋＨｚの特異的ピークについて実施した確認工程の結果を示す図。
【図３２】実施例３において、２５４ｋＨｚの特異的ピークについて実施したブランク確認工程の結果を示す図。
【符号の説明】
１　周波数測定装置
２　細胞収容セル
３　電圧印加装置
４　音波センサー
５　周波数判定装置
２０　容器
２１　ロッド
２２　板状体
２５ａ、２５ｂ　電極
【図１】
2004000046.tif 000007
【図２】
2004000046.tif 000008
【図３】
2004000046.tif 000009
【図４】
2004000046.tif 000010
【図５】
2004000046.tif 000011
【図６】
2004000046.tif 000012
【図７】
2004000046.tif 000013
【図８】
2004000046.tif 000014
【図９】
2004000046.tif 000015
【図１０】
2004000046.tif 000016
【図１１】
2004000046.tif 000017
【図１２】
2004000046.tif 000018
【図１３】
2004000046.tif 000019
【図１４】
2004000046.tif 000020
【図１５】
2004000046.tif 000021
【図１６】
2004000046.tif 000022
【図１７】
2004000046.tif 000023
【図１８】
2004000046.tif 000024
【図１９】
2004000046.tif 000025
【図２０】
2004000046.tif 000026
【図２１】
2004000046.tif 000027
【図２２】
2004000046.tif 000028
【図２３】
2004000046.tif 000029
【図２４】
2004000046.tif 000030
【図２５】
2004000046.tif 000031
【図２６】
2004000046.tif 000032
【図２７】
2004000046.tif 000033
【図２８】
2004000046.tif 000034
【図２９】
2004000046.tif 000035
【図３０】
2004000046.tif 000036
【図３１】
2004000046.tif 000037
【図３２】
2004000046.tif 000038